(57)【特許請求の範囲】
【請求項１】
アプリケーションサーバと加入者サーバを含む論理番号サービス制御システムであって、
前記アプリケーションサーバは、論理番号に物理番号が対応づけられた対応表を備え、
前記加入者サーバは、複数の電話端末を収容しており、かつ、前記電話端末の物理番号と前記電話端末に着信を行う場合に受信する論理番号とを対応づけた対応表を備え、当該対応表においては、１つ以上の論理番号のそれぞれに複数の物理番号が対応づけられ、
前記アプリケーションサーバは、
発側の電話端末での発信要求の際に前記電話端末に入力された論理番号を受信した場合は、前記アプリケーションサーバの対応表において当該論理番号に対応づけられた物理番号と共に、受信した論理番号を前記加入者サーバに送信し、
前記加入者サーバは、
前記アプリケーションサーバから受信した論理番号が前記加入者サーバの対応表の前記論理番号の１つと同じ場合は、前記加入者サーバの対応表において当該１つの論理番号に対応づけられた物理番号に対応する電話端末であり、かつ、使用されていない電話端末を選択し、当該電話端末に着信を行う
ことを特徴とする論理番号サービス制御システム。
【請求項２】
前記加入者サーバの対応表において、各物理番号には優先順位が設定され、
前記加入者サーバは、
前記アプリケーションサーバから受信した論理番号が前記加入者サーバの対応表の前記論理番号の１つと同じ場合は、前記加入者サーバの対応表において当該１つの論理番号に対応づけられた物理番号に対応する電話端末であり、かつ、使用されていない電話端末から最も高い優先順位の電話端末を選択し、当該電話端末に着信を行う
ことを特徴とする請求項1記載の論理番号サービス制御システム。
【請求項３】
請求項１記載の論理番号サービス制御システムの動作方法であって、
前記アプリケーションサーバが、
発側の電話端末での発信要求の際に前記電話端末に入力された論理番号を受信した場合は、前記アプリケーションサーバの対応表において当該論理番号に対応づけられた物理番号と共に、受信した論理番号を前記加入者サーバに送信するステップと、
前記加入者サーバが、
前記アプリケーションサーバから受信した論理番号が前記加入者サーバの対応表の前記論理番号の１つと同じ場合は、前記加入者サーバの対応表において当該１つの論理番号に対応づけられた物理番号に対応する電話端末であり、かつ、使用されていない電話端末を選択し、当該電話端末に着信を行うステップと
を含むことを特徴とする論理番号サービス制御システムの動作方法。
【請求項４】
請求項２記載の論理番号サービス制御システムの動作方法であって、
前記アプリケーションサーバが、
発側の電話端末での発信要求の際に前記電話端末に入力された論理番号を受信した場合は、前記アプリケーションサーバの対応表において当該論理番号に対応づけられた物理番号と共に、受信した論理番号を前記加入者サーバに送信するステップと、
前記加入者サーバが、
前記アプリケーションサーバから受信した論理番号が前記加入者サーバの対応表の前記論理番号の１つと同じ場合は、前記加入者サーバの対応表において当該１つの論理番号に対応づけられた物理番号に対応する電話端末であり、かつ、使用されていない電話端末から最も高い優先順位の電話端末を選択し、当該電話端末に着信を行うステップと
を含むことを特徴とする論理番号サービス制御システムの動作方法。
【発明の詳細な説明】
【技術分野】
【０００１】
本発明は、論理番号を用いたサービスのカスタマイズ性と制御性の向上を図れる論理番号サービス制御システムおよび論理番号サービス制御システムの動作方法に関するものである。
【背景技術】
【０００２】
VoIP（Voice over Internet Protocol）網において、フリーダイヤル／ナビダイヤル等のサービス提供に際し、VoIP網側のサービス制御機能にて論理番号（ダイヤル番号）毎に着信先の番号へ変換し、かつ、接続している。また、論理番号毎に付加サービス制御を実施し、振分け、空塞管理等実施している。
【０００３】
一方、複数の論理番号サービスを契約している加入者にとっては、複数の論理番号を一体とした接続制御を行えないと共に、サービス制御のカスタマイズの範囲はVoIP網側の提供機能に限定される。また、VoIP網側の空塞管理は論理番号に着信された呼のみを対象とするが、直接着信端末にかかってきた呼に対しては管理不可となり、最適な振分け制御等を実施できない場合がある。
【先行技術文献】
【非特許文献】
【０００４】
【非特許文献１】「フリーダイヤル」、［ｏｎｌｉｎｅ］、ＮＴＴコミュニケーションズ、［平成２６年４月３日検索］、インターネット＜ＵＲＬ：http://www.ntt.com/freedial/index.html＞
【非特許文献２】「アスタリスク」、［ｏｎｌｉｎｅ］、ＮＴＴソフトウェア、［平成２６年４月３日検索］、インターネット＜ＵＲＬ：http://www.ntts.co.jp/products/asterisk/＞
【発明の概要】
【発明が解決しようとする課題】
【０００５】
本発明は、上記の課題に鑑みてなされたものであり、その目的とするところは、論理番号を用いたサービスのカスタマイズ性と制御性の向上を図ることにある。
【課題を解決するための手段】
【０００６】
上記の課題を解決するために、第１の本発明は、アプリケーションサーバと加入者サーバを含む論理番号サービス制御システムであって、前記アプリケーションサーバは、論理番号に物理番号が対応づけられた対応表を備え、前記加入者サーバは、複数の電話端末を収容しており、かつ、前記電話端末の物理番号と前記電話端末に着信を行う場合に受信する論理番号とを対応づけた対応表を備え、当該対応表においては、１つ以上の論理番号のそれぞれに複数の物理番号が対応づけられ、前記アプリケーションサーバは、発側の電話端末での発信要求の際に前記電話端末に入力された論理番号を受信した場合は、前記アプリケーションサーバの対応表において当該論理番号に対応づけられた物理番号と共に、受信した論理番号を前記加入者サーバに送信し、前記加入者サーバは、前記アプリケーションサーバから受信した論理番号が前記加入者サーバの対応表の前記論理番号の１つと同じ場合は、前記加入者サーバの対応表において当該１つの論理番号に対応づけられた物理番号に対応する電話端末であり、かつ、使用されていない電話端末を選択し、当該電話端末に着信を行うことを特徴とする。
【０００７】
第２の本発明は、第１の本発明の論理番号サービス制御システムの動作方法であって、前記アプリケーションサーバが、発側の電話端末での発信要求の際に前記電話端末に入力された論理番号を受信した場合は、前記アプリケーションサーバの対応表において当該論理番号に対応づけられた物理番号と共に、受信した論理番号を前記加入者サーバに送信するステップと、前記加入者サーバが、前記アプリケーションサーバから受信した論理番号が前記加入者サーバの対応表の前記論理番号の１つと同じ場合は、前記加入者サーバの対応表において当該１つの論理番号に対応づけられた物理番号に対応する電話端末であり、かつ、使用されていない電話端末を選択し、当該電話端末に着信を行うステップとを含むことを特徴とする。
【発明の効果】
【０００８】
本発明によれば、論理番号を用いたサービスのカスタマイズ性と制御性の向上を図ることができる。
【図面の簡単な説明】
【０００９】
【図１】本実施の形態に係る論理番号サービス制御システムを構成するアプリケーションサーバと加入者サーバを含む通信ネットワークを示す図である。
【図２】アプリケーションサーバ１に保持された対応表を示す図である。
【図３】加入者サーバ２に保持された対応表（複数の論理番号に対し、着信先の電話端末を共有させない場合のもの）を示す図である。
【図４】加入者サーバ２に保持された空塞管理表を示す図である。
【図５】加入者サーバ２に保持された対応表（複数の論理番号に対し、着信先の電話端末を共有させる場合のもの）を示す図である。
【発明を実施するための形態】
【００１０】
以下、本発明の実施の形態について図面を参照して説明する。
図１は、本実施の形態に係る論理番号サービス制御システムを構成するアプリケーションサーバと加入者サーバを含む通信ネットワークを示す図である。
アプリケーションサーバ１（ＳＩＰアプリケーションサーバ）と加入者サーバ２（ＳＩＰサーバ）は、例えば、ＩＰ電話網３に通信回線を介して接続される。
【００１１】
ＩＰ電話網３には、メディアサーバ４、ゲートウェイ５が接続され、ゲートウェイ５には、相互接続点６を介して、他事業者の加入者網７が接続される。加入者網７には、他事業者の電話端末８が接続される。ゲートウェイは複数存在してもよい。
【００１２】
ＩＰ電話網３には、複数のＳＩＰサーバ３１が含まれ、その１つには、複数の電話端末２１（ＩＰ端末）が収容され、他のＳＩＰサーバ３１に加入者サーバ２が接続される。
【００１３】
加入者サーバ２は、例えば、４台の電話端末２２〜２５（それぞれＩＰ端末）を収容する。これらは、加入者サーバ２を使用する加入者（企業、団体など）で使用されるものである。電話端末２２〜２５にはそれぞれ、物理番号「０３−Ａ」、「０３−Ｂ」、「０３−Ｃ」、「０３−Ｄ」が割り当てられている。なお、収容数は、４台に限らない。
【００１４】
ＳＩＰサーバ３１は、他のＳＩＰサーバやゲートウェイ５からの呼設定要求を受けて、接続先のシステム（メディアサーバ４を含む）または電話端末に呼設定を行うものである。なお、ＳＩＰサーバに収容されるＩＰ通信機器（図示せず）に接続してもよいし、適切なゲートウェイを選択して、他社加入者網７等に接続してもよい。
【００１５】
アプリケーションサーバ１は、ＳＩＰサーバ３１やメディアサーバ４と接続し、ダイヤルされた論理番号への呼設定要求に対し、着信先の物理番号に変換し、ＳＩＰサーバ３１に呼設定要求を通知したり、メディアサーバ４に接続し、音声応答等を実施するものである。
【００１６】
メディアサーバ４は、ＳＩＰサーバ３１やアプリケーションサーバ１との接続に応じて、電話端末２１や電話端末２２〜２５にガイダンスを送出し、音声録音すると共に、入力されたＰＢ信号に応じて音声録音を再生するものである。
【００１７】
ゲートウェイ５は、異なる網同士を接続するためのものである。ゲートウェイ５から複数の相互接続点６に接続されていてもよいし、相互接続点を介さずに、複数の加入者網等に接続してもよい。
【００１８】
加入者サーバ２は、ＳＩＰサーバ３１との呼設定要求の送受信等を実施すると共に、ダイヤルされた論理番号に応じてサービス制御を実施し、着信させる電話端末を選択するものである。また、メディアサーバ４のように、音声等のメディアの送受信を実施可能としてもよい。
【００１９】
なお、加入者サーバ２は呼に論理番号が設定されていれば上述の通り動作し、論理番号が設定されていない場合、つまり、ダイヤルされた番号が物理番号の場合は当該物理番号に対応する電話端末に着信させる。
【００２０】
相互接続点６は、ゲートウェイ５と他事業者の加入者網等とを接続するためのものであり、ゲートウェイ５に対して相互接続点６が複数存在してもよいし、相互接続点６に対して他事業者の加入者網等が複数存在してもよい。
【００２１】
図２は、アプリケーションサーバ１に保持された対応表を示す図である。
対応表の第１のレコードには、電話端末２２、２３を含むグループに割り当てられた論理番号「０１２０−Ｎ」（Ｎは実際の番号に代えて用いる省略記号である。以降、Ｍ、Ａ、Ｂ、Ｃ、Ｄも同様である）と、当該グループの代表電話番号である電話端末２２の物理番号「０３−Ａ」と、回線数（電話端末２２、２３分の）「２」とが対応づけて記憶される。
【００２２】
対応表の第２のレコードには、電話端末２４、２５を含むグループに割り当てられた論理番号「０１２０−Ｍ」と、当該グループの代表電話番号である電話端末２４の物理番号「０３−Ｃ」と、回線数（電話端末２４、２５分の）「２」とが対応づけて記憶される。
【００２３】
図３は、加入者サーバ２に保持された対応表を示す図である。なお、図は、複数の論理番号に対し、着信先の電話端末を共有させない場合のものである。
対応表は、電話端末の物理番号と電話端末に着信を行う場合に受信する論理番号とを対応づけたものである。
【００２４】
対応表においては、論理番号「０１２０−Ｎ」に対し、物理番号「０３−Ａ」ならびに電話端末２３の物理番号「０３−Ｂ」が対応づけられている。物理番号「０３−Ａ」、「０３−Ｂ」にはそれぞれ、優先順位「１」、「２」が対応づけられている。  また、対応表においては、論理番号「０１２０−Ｍ」に対し、物理番号「０３−Ｃ」ならびに電話端末２５の物理番号「０３−Ｄ」が対応づけられている。物理番号「０３−Ｃ」、「０３−Ｄ」にはそれぞれ、優先順位「１」、「２」が対応づけられている。
【００２５】
図４は、加入者サーバ２に保持された空塞管理表を示す図である。
空塞管理表においては、物理番号「０３−Ａ」に対し電話端末２２の使用状況、物理番号「０３−Ｂ」に対し電話端末２３の使用状況、物理番号「０３−Ｃ」に対し、電話端末２４の使用状況、物理番号「０３−Ｄ」に対し電話端末２５の使用状況がそれぞれ対応づけて記憶される。
【００２６】
以下、複数の論理番号に対し、着信先の電話端末を共有させない場合において、図１の電話端末２１から発信し、電話端末２２〜２５のいずれかに着信する場合の動作を説明する。なお、発信元は、他の電話端末でもよい。また、以下で説明する加入者サーバ２での動作は、非特許文献２に記載の技術を用いて、容易に設定し変更することができる。
【００２７】
（物理番号による発着信）
Ｓ１：電話端末２１のユーザは、発信要求に際し、電話端末２１で物理番号「０３−Ｂ」をダイヤルする。
Ｓ３：加入者サーバ２は、この物理番号を、ＳＩＰサーバ３１を介して受信し、物理番号「０３−Ｂ」に対応する電話端末２３に着信を行う。
なお、他の物理番号がダイヤルされた場合でも着信のしくみは同じである。
【００２８】
（論理番号による発着信）
Ｓ１１：電話端末２１のユーザは、発信要求に際し、電話端末２１で論理番号「０１２０−Ｎ」をダイヤルする。
Ｓ１３：アプリケーションサーバ１は、ＳＩＰサーバ３１を介して、論理番号「０１２０−Ｎ」を受信する。
Ｓ１５：アプリケーションサーバ１は、受信した論理番号「０１２０−Ｎ」ならびに対応表において対応づけられた物理番号「０３−Ａ」を、ＳＩＰサーバ３１を介して、加入者サーバ２に送信する。
【００２９】
Ｓ１７：加入者サーバ２は、論理番号と物理番号を受信し、対応表において同じ論理番号に対応づけられた最も優先順位が高い物理番号を読み出し、空塞管理表における物理番号に対応する使用状況が未使用であれば、物理番号に対応する電話端末に着信を行う。
【００３０】
加入者サーバ２は、使用状況が使用中であれば、次に優先順位が高い物理番号を読み出し、空塞管理表における物理番号に対応する使用状況が未使用であれば、物理番号に対応する電話端末に着信を行う。よって、電話端末２２が未使用なら電話端末２２に着信され、電話端末２２が使用中で電話端末２３が未使用なら電話端末２３に着信される。
なお、他の論理番号がダイヤルされた場合でも着信のしくみは同じである。
【００３１】
つまり、加入者サーバ２は、受信した論理番号が対応表の論理番号の１つと同じであれば、その論理番号に対応する物理番号の電話端末から最も高い優先順位の電話端末を選択し、当該電話端末に着信を行う。
【００３２】
例えば、電話端末２２、２３の優先順位を逆にすることは、アプリケーションサーバ１において行うよりも加入者サーバ２において行う方が容易であり、つまり、カスタマイズ性を向上できる。また、空塞管理表は、いわゆる原本なので、信頼性が高く、制御性を向上できる。
【００３３】
図５は、加入者サーバ２に保持された対応表を示す図である。なお、図は、複数の論理番号に対し、着信先の電話端末を共有させる場合のものである。
【００３４】
対応表においては、論理番号「０１２０−Ｎ」に対し、物理番号「０３−Ａ」、「０３−Ｂ」、「０３−Ｃ」、「０３−Ｄ」が対応づけられている。物理番号「０３−Ａ」、「０３−Ｂ」、「０３−Ｃ」、「０３−Ｄ」にはそれぞれ、優先順位「１」、「２」、「３」、「４」が対応づけられている。
【００３５】
また、対応表においては、論理番号「０１２０−Ｍ」に対し、物理番号「０３−Ａ」、「０３−Ｂ」、「０３−Ｃ」、「０３−Ｄ」が対応づけられている。物理番号「０３−Ａ」、「０３−Ｂ」、「０３−Ｃ」、「０３−Ｄ」にはそれぞれ、優先順位「１」、「２」、「３」、「４」が対応づけられている。
【００３６】
つまり、対応表においては、複数の論理番号のそれぞれに複数の物理番号が対応づけられ、かつ、各物理番号には優先順位が設定される。
【００３７】
以下、複数の論理番号に対し、着信先の電話端末を共有させる場合において、図１の電話端末２１から発信し、電話端末２２〜２５のいずれかに着信する場合の動作を説明する。なお、発信元は、他の電話端末でもよい。
【００３８】
まず、物理番号による発着信については、着信先の電話端末を共有させない場合と同様なので説明を省略する。
【００３９】
（論理番号による発着信）
Ｓ２１：電話端末２１のユーザは、発信要求に際し、電話端末２１で論理番号「０１２０−Ｎ」をダイヤルする。
Ｓ２３：アプリケーションサーバ１は、ＳＩＰサーバ３１を介して、論理番号「０１２０−Ｎ」を受信する。
Ｓ２５：アプリケーションサーバ１は、受信した論理番号「０１２０−Ｎ」ならびに対応表において対応づけられた物理番号「０３−Ａ」を、ＳＩＰサーバ３１を介して、加入者サーバ２に送信する。
【００４０】
Ｓ２７：加入者サーバ２は、論理番号と物理番号を受信したので、受信した論理番号が対応表の論理番号の１つと同じであれば、その論理番号に対応する物理番号の電話端末から最も高い優先順位の電話端末を選択し、当該電話端末に着信を行う。
【００４１】
加入者サーバ２は、具体的には、対応表から優先順位「１」の物理番号「０３−Ａ」を読み出し、空塞管理表により、対応する電話端末２２が未使用か使用中かを確認する。
【００４２】
物理番号による発着信はアプリケーションサーバ１を介在せずに実施されるので、アプリケーションサーバ１は電話端末２２が未使用か使用中かを判断できないが、加入者サーバ２では判断することができる。
【００４３】
加入者サーバ２は、電話端末２２が使用中（例えば、電話端末８と通話中）なら、対応表から優先順位「２」の物理番号「０３−Ｂ」を読み出し、空塞管理表において、対応する電話端末２３が未使用であれば、電話端末２３に着信を行う。
加入者サーバ２は、電話端末２３が使用中なら、対応表から優先順位「３」の物理番号「０３−Ｃ」を読み出し、空塞管理表において、対応する電話端末２４が未使用であれば、電話端末２４に着信を行う。
【００４４】
従来であれば、論理番号「０１２０−Ｎ」、「０１２０−Ｍ」は、異なるサービス制御を行うためのものなので、論理番号「０１２０−Ｎ」のダイヤルに対し、電話端末２４が未使用か使用中かを判断できないが、本実施の形態によれば、加入者サーバ２で判断することができる。
【００４５】
つまり、アプリケーションサーバ１において、「０１２０−Ｎ」に対してどのような着信をしたかは、「０１２０−Ｍ」のサービス制御を行う場合には不明である。
例えば、「０１２０−Ｎ」と「０１２０−Ｍ」が異なる事業者によるフリーダイヤルサービスの場合が、顕著な例である。
【００４６】
これに対し、本実施の形態では、上記の電話端末２４についての未使用か否かの判断のように、端末の空塞管理を実施できる加入者サーバで一部サービス制御を行えることにメリットがある。
なお、他の論理番号がダイヤルされた場合でも着信のしくみは同じである。
【００４７】
また、論理番号「０１２０−Ｎ」に対応する優先順位と論理番号「０１２０−Ｍ」に対応する優先順位を相違させてもよい。例えば、論理番号「０１２０−Ｎ」に対応する優先順位はそのままとし、一方、論理番号「０１２０−Ｍ」に対応する物理番号「０３−Ａ」「０３−Ｂ」、「０３−Ｃ」、「０３−Ｄ」の優先順位をそれぞれ、「３」、「４」、「１」、「２」としてもよい。これにより、論理番号「０１２０−Ｎ」がダイヤルされた場合は、電話端末２２、２３の方が着信しやすく、論理番号「０１２０−Ｍ」がダイヤルされた場合は、電話端末２４、２５の方が着信しやすくできる。
【００４８】
このように、複数の論理番号に対し、着信先の電話端末を共有させるように設定を変更することや、優先順位を変更することは、アプリケーションサーバ１において行うよりも加入者サーバ２において行う方が容易であり、つまり、カスタマイズ性を向上できる。また、空塞管理表は、いわゆる原本なので、信頼性が高く、制御性を向上できる。
【符号の説明】
【００４９】
１  アプリケーションサーバ
２  加入者サーバ
３  ＩＰ電話網
４  メディアサーバ
５  ゲートウェイ
６  相互接続点
７  他事業者の加入者網
８  他事業者の電話端末
３  ＩＰ電話網
３１  ＳＩＰサーバ
【図１】
0006023744.tif 000002
【図２】
0006023744.tif 000003
【図３】
0006023744.tif 000004
【図４】
0006023744.tif 000005
【図５】
0006023744.tif 000006